(57)【要約】【課題】人体と必要な情報とを不可分としつつ、適切な位置に適切な内容の書き込みを可能とする。【解決手段】書き込み内容を示す書き込み内容情報を取得するデータ取得部（２１）と、書き込み内容情報から、人体の耳介へ書き込む書き込み情報を作成する書き込み情報作成部（２２）と、書き込み情報を人体の耳介に書き込む書き込み制御部（２３）と、を備えている。【選択図】図１
2016013689.tif 000002
【特許請求の範囲】
【請求項１】
人体の耳介に書き込みを行う書き込み装置であって、
書き込み内容を示す書き込み内容情報を取得するデータ取得手段と、
上記データ取得手段が取得した書き込み内容情報から、人体の耳介へ書き込む書き込み情報を作成する書き込み情報作成手段と、
上記書き込み情報作成手段が作成した書き込み情報を人体の耳介に書き込む書き込み手段と、を備えていることを特徴とする書き込み装置。
【請求項２】
上記書き込み情報作成手段は、上記書き込み内容情報を暗号化して上記書き込み情報を作成することを特徴とする請求項１に記載の書き込み装置。
【請求項３】
上記書き込み手段は、上記書き込み情報を耳介の外耳道に書き込むことを特徴とする請求項１または２に記載の書き込み装置。
【請求項４】
人体の耳介に書き込まれた書き込み情報を読み取る読み取り装置であって、
請求項１〜３のいずれか１項に記載された書き込み装置によって書き込まれた書き込み情報を読み取る読み取り手段と、
上記読み取り手段が読み取った書き込み情報から、書き込み内容を取得する読み取り情報解析手段と、
上記読み取り情報解析手段が取得した書き込み内容を送信する書き込み内容送信手段と、を備えていることを特徴とする読み取り装置。
【請求項５】
請求項１〜３のいずれか１項に記載の書き込み装置および請求項４に記載の読み取り装置の少なくとも何れかと、情報の入力、表示、送受信が可能な携帯情報端末とを含むことを特徴とする書き込み情報読み書きシステム。
【請求項６】
人体の耳介に書き込みを行う書き込み装置の制御方法であって、
書き込み内容を示す書き込み内容情報を取得するデータ取得ステップと、
上記データ取得ステップで取得した書き込み内容情報から、人体の耳介へ書き込む書き込み情報を作成する書き込み情報作成ステップと、
上記書き込み情報作成ステップで作成した書き込み情報を人体の耳介に書き込む書き込みステップと、を含むことを特徴とする書き込み装置の制御方法。
【請求項７】
人体の耳介に書き込まれた書き込み情報を読み取る読み取り装置の制御方法であって、
人体の耳介に書き込まれた書き込み情報を読み取る読み取りステップと、
上記読み取りステップで読み取った書き込み情報から、書き込み内容を取得する読み取り情報解析ステップと、
上記読み取り情報解析ステップで取得した書き込み内容を送信する書き込み内容送信ステップと、を含むことを特徴とする読み取り装置の制御方法。
【発明の詳細な説明】
【技術分野】
【０００１】
本発明は、人体に印刷（プリント）を行う書き込み装置、および人体にプリントされたものを読み取る読み取り装置等に関する。
【背景技術】
【０００２】
近年、認知症患者の行方不明者が増大し、社会問題化している。また、行方不明となった認知症患者が仮に警察等に保護されても、認知症患者本人は自分の情報を提供することができず、また、警察等も認知症患者の情報を取得することが困難なため、認知症患者を自宅に帰すことができないという問題も起こっている。
【０００３】
認知症患者の行方不明者対策としては、例えば、個人の生体情報を含む個人情報を予め登録しておき、生体情報から住所・氏名等を取得するという方法や、住所・氏名等が記載された紙等を収めたカプセルを当該認知症患者に携帯させるという方法がある。
【０００４】
生体情報を用いる方法では、人体から生体情報を取得する必要があるが、人体から生体情報を取得するためには専用の機器が必要となり容易でない。また、災害等の場合は、専用の機器そのものが使用できない可能性もある。したがって、生体情報を用いる方法によって、認知症患者の行方不明者の問題を解決できるとは限らない。
【０００５】
また、カプセルを携帯させる方法は、携帯すること自体を忘れてしまった場合、何の役にも立たない。
【０００６】
また、認知症患者の行方不明者対策としてではないが、特許文献１には、人間の皮膚に印刷を行う技術が開示されている。
【先行技術文献】
【特許文献】
【０００７】
【特許文献１】特開２００４−１０６３３９号公報（２００４年４月８日公開）
【発明の概要】
【発明が解決しようとする課題】
【０００８】
しかしながら、上記特許文献１には、人間の皮膚に印刷できることが記載されているのみであり、どのような位置にどのような方法で実行するのかについては言及されていない。また、印刷内容に関するセキュリティについても言及されていない。
【０００９】
本発明は、上記問題に鑑みてなされたものであり、その目的は、人体と必要な情報とを不可分としつつ、適切な位置に適切な内容の書き込みが可能な書き込み装置、および書き込まれた内容を読出し可能な読み出し装置等を実現することにある。
【課題を解決するための手段】
【００１０】
上記の課題を解決するために、本発明に係る書き込み装置は、人体の耳介に書き込みを行う書き込み装置であって、書き込み内容を示す書き込み内容情報を取得するデータ取得手段と、上記データ取得手段が取得した書き込み内容情報から、人体の耳介へ書き込む書き込み情報を作成する書き込み情報作成手段と、上記書き込み情報作成手段が作成した書き込み情報を人体に書き込む書き込み手段と、を備えていることを特徴としている。
【００１１】
また、本発明に係る書き込み装置の制御方法は、人体の耳介に書き込みを行う書き込み装置の制御方法であって、書き込み内容を示す書き込み内容情報を取得するデータ取得ステップと、上記データ取得ステップで取得した書き込み内容情報から、人体の耳介へ書き込む書き込み情報を作成する書き込み情報作成ステップと、上記書き込み情報作成ステップで作成した書き込み情報を人体の耳介に書き込む書き込みステップと、を含むことを特徴としている。
【００１２】
上記の構成または方法によれば、書き込み内容から作成された書き込み情報が人体の耳介に書き込まれるので、人体と書き込み内容とを不可分にすることができる。
【００１３】
本発明に係る書き込み装置では、上記書き込み情報作成手段は、上記書き込み内容情報を暗号化して上記書き込み情報を作成するものであってもよい。
【００１４】
上記の構成によれば、書き込みに内容そのものが人体の耳介に書き込まれず、書き込み内容が暗号化されたものが書き込まれるので、書き込み内容が想定外のところに漏れることを防止することができる。
【００１５】
本発明に係る書き込み装置では、上記書き込み手段は、上記書き込み情報を耳介の外耳道に書き込むものであってもよい。
【００１６】
上記の構成によれば、書き込み情報は耳介の外耳道に書き込まれるので、書き込み情報が人目に付くことを防止することができる。
【００１７】
上記課題を解決するために本発明に係る読み取り装置は、人体の耳介に書き込まれた書き込み情報を読み取る読み取り装置であって、上記書き込み装置によって書き込まれた書き込み情報を読み取る読み取り手段と、上記読み取り手段が読み取った書き込み情報から、書き込み内容を取得する読み取り情報解析手段と、上記読み取り情報解析手段が取得した書き込み内容を送信する書き込み内容送信手段と、を備えていることを特徴としている。
【００１８】
また、本発明に係る読み取り装置の制御方法は、人体の耳介に書き込まれた書き込み情報を読み取る読み取り装置の制御方法であって、人体の耳介に書き込まれた書き込み情報を読み取る読み取りステップと、上記読み取りステップで読み取った書き込み情報から、書き込み内容を取得する読み取り情報解析ステップと、上記読み取り情報解析ステップで取得した書き込み内容を送信する書き込み内容送信ステップと、を含むことを特徴としている。
【００１９】
上記の構成または方法によれば、書き込み装置によって人体の耳介に書き込まれた書き込み情報を読み取り、その書き込み内容を取得することができる。そして、取得した書き込み内容を送信することができる。これにより、書き込み内容を外部の装置で確認することができる。
【００２０】
上記課題を解決するために、本発明に係る読み書きシステムは、上記書き込み装置および上記読み取り装置の少なくとも何れかと、情報の入力、表示、送受信が可能な携帯情報端末とを含むことを特徴としている。
【００２１】
上記の構成によれば、携帯情報端末において、書き込み内容の入力および書き込み内容の確認の少なくとも何れかを行うことができる。なお、携帯情報端末の例としては、例えば、スマートフォンを挙げることができる。
【００２２】
本発明の各態様に係る書き込み装置および読み取り装置は、コンピュータによって実現してもよく、この場合には、コンピュータを上記の書き込み装置および読み取り装置が備える各手段として動作させることにより上記の書き込み装置および読み取り装置をコンピュータにて実現させる書き込みの制御プログラム、読み取り装置の制御プログラム、およびそれらを記録したコンピュータ読み取り可能な記録媒体も、本発明の範疇に入る。
【発明の効果】
【００２３】
本発明の構成または方法によれば、書き込み内容から作成された書き込み情報が人体の耳介に書き込まれるので、人体と書き込み内容とを不可分にすることができるという効果を奏する。
【図面の簡単な説明】
【００２４】
【図１】本発明の実施形態に係る書き込み装置の要部構成を示すブロック図である。
【図２】上記書き込み装置が書き込みを行う場合の例を示す図であって、（ａ）は全体の概要を示す図であり、（ｂ）は外耳道に書き込まれた例を示す図であり、（ｃ）は耳たぶに書き込まれた例を示す図であり、（ｄ）は耳の付け根付近に書き込まれた例を示す図である。
【図３】上記実施形態における書き込み時の処理の流れを示すシーケンス図である。
【図４】上記実施形態に係る読み取り装置の要部構成を示すブロック図である。
【図５】上記読み取り装置が読み取りを行う場合の例を示す図である。
【図６】上記実施形態における読み取り時の処理の流れを示すシーケンス図である。
【発明を実施するための形態】
【００２５】
〔概要〕
以下、本発明の実施形態について、詳細に説明する。本実施形態に係る書き込み装置１は、携帯情報端末２とデータの送受信が可能であり、携帯情報端末２によって指示された内容を示す情報（書き込み内容情報）を人間の外耳道、および、耳たぶの裏側（首側）または耳の付け根付近で耳を鼻方向に折り曲げたときに皮膚が伸びる領域（以下、耳の付け根領域と呼ぶ）に書き込むものである。
【００２６】
また、本実施形態に係る読み取り装置３は、書き込み装置１によって外耳道に書き込まれた情報を読み取り、読み取った内容を解析して、その結果を携帯情報端末２で表示させるものである。
【００２７】
これにより、書き込まれた情報を用いて当該人間を特定することが可能となる。また、書き込む位置は、外耳道、および、耳たぶの裏側または耳の付け根領域なので、他人の目につきにくく、当該人間の個人情報が漏洩してしまうことも防止できる。
【００２８】
また、上記の書き込みを認知症患者等に行うことにより、認知症患者が行方不明等になったとしても、認知症患者の情報を取得することが可能となる。
【００２９】
なお、本実施形態では、携帯情報端末２としてスマートフォンを想定しているが、これに限られるものではなく、情報の入力、表示、送受信が可能なものであれば、どのようなものであってもよい。
【００３０】
また、本実施形態では、書き込み装置１および読み取り装置３の少なくとも何れかと携帯情報端末２とにより構成されるシステムを書き込み情報の読み書きシステムと呼ぶ。また、本実施形態では、書き込み装置１と読み取り装置３とは、別々の装置として記載しているが、両者の機能を備えた１つの装置であってもよい。
【００３１】
〔書き込み装置１〕
本実施形態に係る書き込み装置１について、図１〜３を参照して説明する。図１に示すように、本実施形態に係る書き込み装置１は、携帯情報端末２とデータの送受信が可能であり、制御部１０および書き込み部１１を含む構成である。本実施形態では、携帯情報端末２のイヤホンジャックと書き込み装置１とを接続して、データの送受信を行っている。なお、データの送受信は、携帯情報端末２のイヤホンジャックに限られるものではなく、ＵＳＢ端子等を用いてもよいし、近距離無線通信を用いて行うものであってもよい。
【００３２】
書き込み部１１は、人体の耳（耳介）に適切に入る構造であり、書き込み部分が外耳道に到達するような構造である。書き込み部１１は、書き込み制御部２３の制御により外耳道に情報（書き込み情報）を書き込む（印刷する）ものである。
【００３３】
書き込み部１１が耳介に情報を書き込む方法としては、例えば以下のものを挙げることができる。
【００３４】
連続したセルであって、セルごとに所定の色を付すか、付さないかによって生成された色の配列として情報を書き込む。なお、配列は、直線であってもよいし、曲線であってもよいし、らせん状等になっていてもよい。
【００３５】
情報を色の配列として書き込むことにより、位置関係でデータを記録するような従来のバーコードと比較して変形に対する耐性が強くなる。よって、耳介のような湾曲した部分が多数存在するような箇所でも適切に情報を印刷できる。また、色の配列のみを印刷すればよいので、従来のバーコードやＱＲコード（登録商標）のように細かい印刷が不要となる。
【００３６】
また、配色を工夫することにより、色の退色、印刷ムラ、照明光等の影響を抑制することができる。
【００３７】
また、色の配列として書き込んだ情報とは別に、サーバ等に色の配列として書き込んだ情報に対応する各種情報を格納しておけば、当該サーバを参照することにより、色の配列のみから多くの情報を取得することができる。なお、各種情報の格納先はサーバに限られるものではなく、携帯情報端末２やその他の記録媒体等に格納していてもよい。
【００３８】
なお、色の配列を印刷すること自体は、従来技術を用いて可能であるので、その詳細な説明は省略する。
【００３９】
また、読み取り装置３による情報（色の配列）の読み取りは、配列されている色の変化、すなわち、隣接するセルとの色の違いを読み取ることにより行うことができる。
【００４０】
制御部１０は、書き込み装置１における各種制御を行うものであり、データ取得部（データ取得手段）２１、書き込み情報作成部（書き込み情報作成手段）２２、および書き込み制御部（書き込み手段）２３を含む。データ取得部２１は、携帯情報端末２から書き込み内容を受信し、その内容を書き込み情報作成部２２へ通知する。書き込み情報作成部２２は、データ取得部２１から通知された書き込み内容から外耳道へ書き込む情報である書き込み情報を作成し、書き込み制御部２３へ通知する。書き込み情報は、読み取り装置３を用いなければ読み取ることが不可能となるように暗号化されている。書き込み制御部２３は、書き込み情報作成部２２から通知された書き込み情報を、書き込み部１１を制御して、外耳道へ書き込む。
【００４１】
また、耳たぶの裏側または耳の付け根領域に書き込む場合は、書き込み情報作成部２２は、データ取得部２１から通知された書き込み内容をそのまま書き込み制御部２３へ通知する。そして、書き込み制御部２３は、通知された書き込み内容を、書き込み部１１を制御して耳たぶの裏側または耳の付け根領域へ書き込む。
【００４２】
より具体的に、図２を参照して説明する。図２は、書き込み時の状態を示す図である。図２（ａ）に示すように、携帯情報端末２と接続している書き込み装置１は、携帯情報端末２によって指示された内容を耳１００の外耳道１０１に書き込む。外耳道１０１への書き込みは、書き込み装置１の書き込み部１１が耳１００の中に入り込むことによって行う。書き込まれる位置の例を、図２（ｂ）に示す。図２（ｂ）に示す例では、外耳道１０１に書き込み情報５１が書き込まれている。また、図２（ｃ）に、耳たぶの裏側に書き込む例を示す。図２（ｃ）に示す例では、耳たぶの裏側に、書き込み情報５２が書き込まれている。
【００４３】
また、図２（ｄ）に示す例では、耳の付け根領域のうち、下側に書き込み情報５３が書き込まれ、上側に書き込み情報５４が書き込まれている。図２（ｄ）に示す例では、書き込み情報５３および書き込み情報５４の２つが書き込まれている例を示しているが、両方必ず書き込む必要は無く、何れか一方でもよい。
【００４４】
本実施形態における耳の付け根領域とは、耳の付け根あたりであって、通常の状態では皮膚が縮んでおり、耳を鼻側に折り曲げたときに皮膚が伸びる領域である。この領域は、耳の付け根の上側（書き込み情報５４）であってもよいし、下側（書き込み情報５３）であってもよい。
【００４５】
耳の付け根領域に書き込みを行うことにより、通常の状態では、外部から確認することができない（意図的に耳を折り曲げないと確認できない）ので、個人情報を適切に保護することができる。また、ピアスやイヤリング等の影響を受けることもない。
【００４６】
さらに、耳が折り曲げられた状態（皮膚が伸びた状態）で耳の付け根領域に書き込み情報を書き込むことにより、通常の状態では、書き込み情報を読み取ることが困難となる。なぜなら、通常の状態では、耳の付け根領域の皮膚が縮んだ状態となり、書き込み情報自体もつぶれたような状態となるためである。
【００４７】
また、本実施形態では、外耳道に書き込む情報は、個人を特定可能な情報（住所、氏名、連絡先、現病歴等）であり、読み取り装置３を用いなければ読み取ることができない情報である。一方、耳たぶの裏側または耳の付け根領域に書き込む情報は、個人を特定することはできないが、当該情報を用いることにより、個人を特定することが可能となるような情報（例えば、郵便番号、血液型等）であり、肉眼で確認可能な情報である。なお、耳たぶの裏側または耳の付け根領域に書き込む情報は、拡大すれば肉眼で確認可能な程度のサイズであってもよい。拡大は、虫眼鏡等により行ってもよいし、スマートフォン等により撮影し、撮影画像を拡大することによって行ってもよい。
【００４８】
これにより、外側から見ることが困難な外耳道には、個人を特定可能な情報が書き込まれ、外側から見ることが可能な耳たぶの裏側または耳の付け根領域には、個人を特定することはできないが、当該情報を用いることにより、個人を特定することが可能となるような情報が書き込まれるので、個人情報により配慮したものとなっている。換言すれば、個人情報の安全性（セキュリティ）が高い。
【００４９】
また、書き込まれる箇所は、外耳道および耳たぶの裏側または耳の付け根領域なので、目立たない箇所となっている。
【００５０】
〔書き込み処理の流れ〕
次に、図３を参照して、書き込み処理の流れを説明する。ここでは、外耳道へ書き込む場合の処理の流れを説明する。まず、携帯情報端末２において書き込み内容の入力を受け付ける（Ｓ１）。次に、携帯情報端末２は、書き込み内容を書き込み装置１へ送信する（Ｓ２）。そして、書き込み装置１のデータ取得部２１は、携帯情報端末２から書き込み内容を受信する（Ｓ３、データ取得ステップ）。次に、書き込み情報作成部２２は、データ取得部２１が受信した書き込み内容から、読み取り装置３のみで読み取り可能な書き込み情報を作成する（Ｓ４、書き込み情報作成ステップ）。そして、書き込み制御部２３は、書き込み情報作成部２２が作成した書き込み情報を、書き込み部１１を制御して外耳道へ書き込む（Ｓ５、書き込みステップ）。
【００５１】
以上が、書き込み処理の流れである。なお、耳たぶの裏側または耳の付け根領域へ書き込む場合は、ステップＳ４で、書き込み情報作成部２２が作成する書き込み情報が異なるのみで、これ以外の処理は同様である。
【００５２】
〔読み取り装置３〕
次に、本実施形態に係る読み取り装置３について、図４〜６を参照して説明する。図４に示すように、本実施形態に係る読み取り装置３は、携帯情報端末２とデータの送受信が可能であり、制御部３０および読み取り部３１を含む構成である。本実施形態では、携帯情報端末２のイヤホンジャックと読み取り装置３とを接続して、データの送受信を行っている。なお、データの送受信は、書き込み装置１と同様に、携帯情報端末２のイヤホンジャックに限られるものではなく、ＵＳＢ端子等を用いてもよいし、近距離無線通信を用いて行うものであってもよい。
【００５３】
読み取り部３１は、人体の耳に入るような構造であり、読み取り部分が外耳道に到達するような構造である。読み取り部３１は、読み取り制御部４１の制御により外耳道に書き込まれている情報（書き込み情報）を読み取るものである。
【００５４】
制御部３０は、読み取り装置３における各種制御を行うものであり、読み取り制御部（読み取り手段）４１、読み取り情報解析部（読み取り情報解析手段）４２、および解析結果送信部（書き込み内容送信手段）４３を含む。読み取り制御部４１は、外耳道に書き込まれた書き込み情報を、読み取り部３１を制御して読み取り、読み取った内容を読み取り情報解析部４２へ通知する。読み取り情報解析部４２は、読み取り制御部４１から通知された内容を解析し、書き込まれた内容を解読する。そして、結果を解析結果送信部４３に通知する。解析結果送信部４３は、通知された結果を携帯情報端末２へ送信し、携帯情報端末２に表示させる。
【００５５】
読み取る状態を、図５を参照して説明する。図５は、読み取り時の状態を示す図である。図５に示すように、読み取り装置３は、耳１００の中に入り、外耳道に書き込まれている書き込み情報５１を読み取る。そして、接続している携帯情報端末２へ読み取った書き込み情報を解析した結果を送信する。
【００５６】
〔読み取り処理の流れ〕
次に、図６を参照して、読み取り処理の流れを説明する。まず、読み取り装置３の読み取り制御部４１が読み取り部３１を制御して、外耳道に書き込まれている書き込み情報を読み取る（Ｓ１１、読み取りステップ）。次に、読み取り情報解析部４２は、読み取り制御部４１が読み取った書き込み情報を解析し、解読する（Ｓ１２、読み取り情報解析ステップ）。そして、解析結果送信部４３は、読み取り情報解析部４２が解読した結果を携帯情報端末２へ送信する（Ｓ１３、書き込み内容送信ステップ）。携帯情報端末２は、読み取り装置３から解析結果を受信し（Ｓ１４）、表示する（Ｓ１５）。以上が、読み取り処理の流れである。
【００５７】
なお、読み取り処理においては、読み取り装置３から送信された情報を用いて、ネットワーク上のサーバに接続し、サーバから個人の情報を取得する構成であってもよい。これにより、外耳道に書き込み可能な情報量に制限されず、より多くの情報を登録および取得することが可能となる。とくに、医療情報（例えば、既往歴）と対応させておけば、処置が必要な場合であっても適切に対応できる。
【００５８】
以上のように、本実施形態に係る書き込み装置１および読み取り装置３によれば、人体の目立たないところに、人体と不可分に当該人物の情報を書き込むことができるとともに、容易に読み出すことができるので、認知症患者等が行方不明になったとしても、容易に自宅等へ帰すことができる。
【００５９】
また、外耳道は変形しにくいので、書き込んだ情報が読み取れなくなる可能性が低い。
【００６０】
〔付記事項〕
上述した実施形態において、人体に書き込み情報を書き込むインクは、人体に無害のものであればよく、特定のものに限定されない。
【００６１】
また、書き込み制御部２３は、書き込み対象の状態（汚れの量や湿度）によって、書き込み方法を異ならせてもよい。
【００６２】
また、書き込み情報を書き込むのではなく、書き込み情報を記憶したＩＣ（Integrated Circuit）チップを耳の裏や耳たぶに埋め込むものであってもよい。
【００６３】
〔ソフトウェアによる実現例〕
書き込み装置１の制御ブロック（制御部１０（データ取得部２１、書き込み情報作成部２２、書き込み制御部２３））、および読み取り装置３の制御ブロック（制御部３０（読み取り制御部４１、読み取り情報解析部４２、解析結果送信部４３））は、集積回路（ＩＣチップ）等に形成された論理回路（ハードウェア）によって実現してもよいし、ＣＰＵ（Central Processing Unit）を用いてソフトウェアによって実現してもよい。
【００６４】
後者の場合、書き込み装置１および読み取り装置３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６６】
本発明は、身元の確認が困難な人間に情報を印刷する印刷装置、および、該印刷装置によって印刷された情報を読み取る読み取り装置に好適である。
【符号の説明】
【００６７】
１  書き込み装置
２  携帯情報端末
３  読み取り装置
１０  制御部
１１  書き込み部
２１  データ取得部（データ取得手段）
２２  書き込み情報作成部（書き込み情報作成手段）
２３  書き込み制御部（書き込み手段）
３０  制御部
３１  読み取り部
４１  読み取り制御部（読み取り手段）
４２  読み取り情報解析部（読み取り情報解析手段）
４３  解析結果送信部（書き込み内容送信手段）
【図１】
2016013689.tif 000003
【図２】
2016013689.tif 000004
【図３】
2016013689.tif 000005
【図４】
2016013689.tif 000006
【図５】
2016013689.tif 000007
【図６】
2016013689.tif 000008